(57)【要約】【課題】  各受話器とオージオメータ本体を接続するケーブルが絡み合わないオージオメータを提供する。【解決手段】  気導受話器２、骨導受話器３、マスキング受話器４や応答スイッチ５など複数の機器が夫々ケーブル６，７，８，９でオージオメータ本体１に接続されたオージオメータであって、オージオメータ本体１に、各ケーブル６，７，８，９を自動的に巻き取るリール１５，１６，１７，１８を設けた。これらのリール１５，１６，１７，１８には、ケーブル６，７，８，９の長さを保持するストッパが配設されている。【選択図】        図２
2009106647.tif 000002
【特許請求の範囲】
【請求項１】
気導受話器、骨導受話器、マスキング受話器や応答スイッチなど複数の機器が夫々ケーブルでオージオメータ本体に接続されたオージオメータであって、前記オージオメータ本体に各ケーブルを自動的に巻き取るリールを設けたことを特徴とするオージオメータ。
【請求項２】
前記リールに、ケーブルの長さを保持するストッパを配設した請求項１記載のオージオメータ。
【請求項３】
気導受話器がケーブルでオージオメータ本体に接続された検診用のオージオメータであって、前記オージオメータ本体にケーブルを自動的に巻き取るリールを設け、このリールにケーブルの長さを保持するストッパを配設したことを特徴とするオージオメータ。
【発明の詳細な説明】
【技術分野】
【０００１】
本発明は、聴力の検査内容に応じて選択した受話器を被検者に装着して使用するオージオメータに関する。
【背景技術】
【０００２】
従来の聴力検査に使用されるオージオメータは、オージオメータ本体が気導受話器、骨導受話器、マスキング受話器や応答スイッチなどとケーブルで接続されている。オージオメータが使用されない場合には、各受話器は検査室の壁に設けられたフックなどに掛けられている。
そして、オージオメータを使用する場合には、検査室の壁のフックなどに掛けられている受話器の中から、検査内容に応じて受話器を選択して被検者に装着する。検査が終了したら被検者から受話器を取り外し、壁のフックに戻す。更に、次の検査内容に応じた受話器を選択し、被検者に装着する。
また、検診用のオージオメータの場合、未使用時には気導受話器とオージオメータ本体を接続するケーブルを折り畳んで、オージオメータ本体と一緒にケースに収納している。
【発明の開示】
【発明が解決しようとする課題】
【０００３】
しかし、従来のオージオメータにおいては、各受話器がケーブルでオージオメータ本体に接続されているので、受話器を取り替えながら検査を進めていくと、だんだんケーブルが絡み合ってくる。このケーブルの絡まりを解くのは手間が掛かるし、煩雑な作業であり、放っておくとケーブルの断線の原因になる。
【０００４】
本発明は、従来の技術が有するこのような問題点に鑑みてなされたものであり、その目的とするところは、各受話器とオージオメータ本体を接続するケーブルが絡み合わないオージオメータを提供しようとするものである。
【課題を解決するための手段】
【０００５】
上記課題を解決すべく請求項１に係る発明は、気導受話器、骨導受話器、マスキング受話器や応答スイッチなど複数の機器が夫々ケーブルでオージオメータ本体に接続されたオージオメータであって、前記オージオメータ本体に各ケーブルを自動的に巻き取るリールを設けたものである。
【０００６】
請求項２に係る発明は、請求項１記載のオージオメータにおいて、前記リールに、ケーブルの長さを保持するストッパを配設した。
【０００７】
請求項３に係る発明は、気導受話器がケーブルでオージオメータ本体に接続された検診用のオージオメータであって、前記オージオメータ本体にケーブルを自動的に巻き取るリールを設け、このリールにケーブルの長さを保持するストッパを配設したものである。
【発明の効果】
【０００８】
請求項１に係る発明によれば、各ケーブルは各リールにより自動的に巻き取られるので、受話器を取り替えて検査する場合でも、ケーブルが絡み合うことがなく、使い勝手がよくなる。
【０００９】
請求項２に係る発明によれば、リールにストッパを設けることによりケーブルを所望な長さに保持することができ、各受話器を装着した被検者がリールに引っ張られることがない。
【００１０】
請求項３に係る発明によれば、収納時にいちいちケーブルを折り畳むなどの作業をする必要がなくなるので、手間が掛からず、ケーブルに余計なストレスが掛からないので、断線し難くなる。
【発明を実施するための最良の形態】
【００１１】
以下に本発明の実施の形態を添付図面に基づいて説明する。ここで、図１は本発明に係るオージオメータの斜視図、図２は同じくブロック図、図３は検診用のオージオメータの斜視図、図４は同じくブロック図である。
【００１２】
本発明に係るオージオメータは、図１に示すように、オージオメータ本体１に、気導受話器２、骨導受話器３、マスキング受話器４、応答スイッチ５を各ケーブル６，７，８，９によって電気的に接続している。オージオメータ本体１には、表示部１０、各種スイッチを配置した操作部１１が設けられている。なお、１２は電源コードである。
【００１３】
また、オージオメータ本体１には、図２に示すように、気導受話器２、骨導受話器３、マスキング受話器４、応答スイッチ５の各ケーブル６，７，８，９を巻き取るリール１５，１６，１７，１８が配置されている。気導受話器２、骨導受話器３、マスキング受話器４、応答スイッチ５は、夫々リール１５，１６，１７，１８を介してオージオメータ本体１の内部に配置された電気回路２０に接続されている。
【００１４】
リール１５，１６，１７，１８は、巻き取りドラム（不図示）に内蔵されたゼンマイ式のばねを利用した自動巻き式で、ケーブル６，７，８，９を引き出すとドラムが回転し、ゼンマイが巻き上げられる構造である。リール１５，１６，１７，１８には、ラチェット式の爪とブレーキによるストッパ（不図示）が設けられている。
【００１５】
そして、常に元の状態に戻ろうとするゼンマイの働きにより、ケーブル６，７，８，９はリール１５，１６，１７，１８の中に戻ろうとするが、前記ストッパにより戻り動作が抑えられる。リールの構造やストッパの構造は、上記の例に限られず、自動的に巻き取られると共に、ケーブル６，７，８，９を所望な長さに保持することができる構造であればよい。
【００１６】
リール１５，１６，１７，１８は、オージオメータ本体１の背面に着脱自在に取り付けられる。そして、リール１５，１６，１７，１８とオージオメータ本体１は、コネクタ（不図示）により電気的に接続される。よって、リール１５，１６，１７，１８に巻き取られる各ケーブル６，７，８，９は、コネクタを介して電気回路２０に接続されることになる。
【００１７】
電気回路２０は、操作部１１からの信号に従い、各受話器２，３，４に電気信号を送る。また、電気回路２０は、操作部１１の操作による出力音の状態や、被検者が操作する応答スイッチ５からの信号を受け、その設定や状況などを表示部１０に表示する。
【００１８】
以上のように構成した本発明に係るオージオメータの動作について説明する。検査開始前においては、気導受話器２、骨導受話器３、マスキング受話器４、応答スイッチ５の各ケーブル６，７，８，９は、夫々のリール１５，１６，１７，１８に巻き取られた状態になっている。
【００１９】
先ず、検査の種類に応じて、必要な受話器を選択し、そのケーブルをリールから引っ張り出す。引き出すのを止めると、ラチェット式の爪とブレーキによるストッパで、ケーブルは引き出された長さで保持される。
例えば、気導聴力検査の場合は、気導受話器２のケーブル６をリール１５から引っ張り出す。ケーブル６が適当な長さになったところで、ケーブル６を引き出すのを止める。
【００２０】
次いで、気導受話器２を被検者に装着する。更に、応答スイッチ５のケーブル９をリール１８から引っ張り出す。ケーブル９が適当な長さになったところで、ケーブル９を引き出すのを止める。そして、応答スイッチ５を被検者に持たせる。オージオメータを操作し、気導聴力検査を行う。
【００２１】
気導聴力検査が終了したら、被検者から気導受話器２を外し、少しケーブル６をリール１５から引っ張り出すと、ラチェット式の爪とブレーキによるストッパが外れ、ケーブル６が自動的にリール１５に巻き取られる。応答スイッチ５についても、少しケーブル９をリール１８から引っ張り出すと、ラチェット式の爪とブレーキによるストッパが外れ、ケーブル９が自動的にリール１８に巻き取られる。
【００２２】
また、骨導聴力検査の場合は、骨導受話器３のケーブル７をリール１６から引っ張り出す。ケーブル７が適当な長さになったところで、ケーブル７を引き出すのを止める。そして、骨導受話器３を被検者に装着する。応答スイッチ５についても、ケーブル９をリール１８から引っ張り出す。ケーブル９が適当な長さになったところで、ケーブル９を引き出すのを止める。応答スイッチ５を被検者に持たせる。オージオメータを操作し、骨導聴力検査を行う。
【００２３】
骨導聴力検査が終了したら、被検者から骨導受話器３を外し、少しケーブル７をリール１６から引っ張り出すと、ラチェット式の爪とブレーキによるストッパが外れ、ケーブル７が自動的にリール１６に巻き取られる。応答スイッチ５についても、少しケーブル９をリール１８から引っ張り出すと、ラチェット式の爪とブレーキによるストッパが外れ、ケーブル９が自動的にリール１８に巻き取られる。マスキング受話器４を使用する検査についても、同様の操作を行う。
【００２４】
このように、各聴力検査が終了するたびに、各受話器２，３，４と応答スイッチ５のケーブル６，７，８，９がリール１５，１６，１７，１８に巻き取られるので、ケーブルが他のケーブルと絡み合うことがない。
【００２５】
検診用オージオメータは、図３に示すように、キャリングケース３０の中に検診用オージオメータ本体３１と気導受話器３２が収納されている。キャリングケース３０は、上ケース３０ａと下ケース３０ｂとからなる。そして、気導受話器３２がケーブル３３によって検診用オージオメータ本体１に電気的に接続されている。また、応答スイッチ３４がケーブル３３の途中に配置されている。更に、検診用オージオメータ本体３１には、表示部３５と各種スイッチを配置した操作部３６が設けられている。なお、３７は電源コードである。
【００２６】
また、検診用オージオメータ本体３１には、図４に示すように、気導受話器３２と応答スイッチ３４のケーブル３３を巻き取るリール３８が配置されている。気導受話器３２と応答スイッチ３４は、リール３８を介して検診用オージオメータ本体３１の内部に配置された電気回路４０に接続されている。
【００２７】
リール３８は、巻き取りドラム（不図示）に内蔵されたゼンマイ式のばねを利用した自動巻き式で、ケーブル３３を引き出すとドラムが回転し、ゼンマイが巻き上げられる構造である。リール３８には、ラチェット式の爪とブレーキによるストッパ（不図示）が設けられている。そして、常に元の状態に戻ろうとするゼンマイの働きにより、ケーブル３３はリール３８の中に戻ろうとするが、前記ストッパにより戻り動作が抑えられる。リール３８の構造やストッパの構造は、上記の例に限られず、自動的に巻き取られると共に、ケーブル３３を所望な長さに保持することができる構造であればよい。
【００２８】
リール３８は、検診用オージオメータ本体３１の背面に着脱自在に取り付けられる。そして、リール３８と検診用オージオメータ本体３１は、コネクタ（不図示）により電気的に接続される。よって、リール３８に巻き取られるケーブル３３は、コネクタを介して電気回路４０に接続されることになる。電気回路４０は、操作部３６からの信号に従い、気導受話器３２に電気信号を送る。また、電気回路４０は、操作部３６の操作による出力音の状態や、被検者が操作する応答スイッチ３４からの信号を受け、その設定や状況などを表示部３５に表示する。
【００２９】
以上のように構成した検診用オージオメータの動作について説明する。検査開始前においては、気導受話器３２と応答スイッチ３４のケーブル３３は、リール３８に巻き取られた状態になっている。先ず、ケーブル３３をリール３８から引っ張り出す。ケーブル３３が適当な長さになったところで、ケーブル３３を引き出すのを止めると、ラチェット式の爪とブレーキによるストッパで、ケーブル３３は引き出された長さで保持される。
【００３０】
次いで、気導受話器３２を被検者に装着し、応答スイッチ５を被検者に持たせる。そして、オージオメータを操作し、聴力検査を行う。聴力検査が終了したら、被検者から気導受話器３２を外し、少しケーブル３３をリール３８から引っ張り出すと、ラチェット式の爪とブレーキによるストッパが外れ、ケーブル３３が自動的にリール３８に巻き取られる。次いで、キャリングケース３０に検診用オージオメータ本体３１と気導受話器３２を収納する。
【００３１】
このように、聴力検査が終了するたびに、気導受話器３２と応答スイッチ３４のケーブル３３がリール３８に巻き取られるため、ケーブル３３を折り畳む必要がないので、手間が掛からず気導受話器３２と応答スイッチ３４をキャリングケース３０に収納でき、ケーブル３３の断線も防ぐことができる。
【産業上の利用可能性】
【００３２】
本発明によれば、オージオメータ本体と各受話器を電気的に接続する各ケーブルは各リールにより自動的に巻き取られるので、受話器を取り替えて検査する場合でも、各ケーブルが互いに絡み合うことなく、使い勝手がよいオージオメータを提供することができる。
【図面の簡単な説明】
【００３３】
【図１】本発明に係るオージオメータの斜視図
【図２】本発明に係るオージオメータのブロック図
【図３】検診用オージオメータの斜視図
【図４】検診用オージオメータのブロック図
【符号の説明】
【００３４】
１…オージオメータ本体、２，３２…気導受話器、３…骨導受話器、４…マスキング受話器、５，３４…応答スイッチ、６，７，８，９，３３…ケーブル、１５，１６，１７，１８，３８…リール、３１…検診用オージオメータ本体。
【図１】
2009106647.tif 000003
【図２】
2009106647.tif 000004
【図３】
2009106647.tif 000005
【図４】
2009106647.tif 000006